(57)【要約】縦編みまたは横編みベース生地（１０）で作成された運動ソックス（１）または運動包帯において、ストッキングカラー（１１）を有する筒状のストッキング脚部（１２）を備え、その上に圧縮手段（２）がストッキング脚部（１２）の進路にわたって配置されており、この圧縮手段は、ベース生地（１０）と異なる構造、織り糸の厚さ、または織り糸材料を有し、この場合、少なくとも２つの対向するらせん（２０、２１）が圧縮手段（２）として使用され、これらのらせんは、フットアーチ領域（１４）からストッキングカラー（１１）の方向にストッキング脚部（１２）の周囲を取り囲むように具現化され、かつ少なくとも一回交差し、またこの編みパターンまたはこの織り糸のらせん（２０、２１）がベース生地（１０）にしっかり留められる点においてベース生地（１０）に接続されることで、安定させるサポート作用が達成される。これは、少なくとも１つの追加のクッションが、すね領域に沿って運動ソックス（１）または運動包帯の前面でベース生地（１０）上に形成され、このクッションが、ストッキングカラー（１１）からフットアーチ領域（１４）まで突き出し、円周方向の交差するらせん（２０、２１）に少なくとも部分的に重なる点において達成される。【選択図】図１ａ
2021534336.tif 000002
【特許請求の範囲】
【請求項１】
縦編みまたは横編みベース生地（１０）で作成された運動ソックス（１）または運動包帯において、ストッキングカラー（１１）からフットアーチ領域（１４）まで延びる筒状のストッキング脚部（１２）を有し、その上に、圧縮手段（２）が前記ストッキング脚部（１２）の進路にわたって配置され、この圧縮手段は、前記ベース生地（１０）と異なる構造、織り糸の厚さ、または織り糸材料を有し、少なくとも２つの対向するらせん（２０、２１）が前記圧縮手段（２）として使用され、これらのらせんは、前記フットアーチ領域（１４）から前記ストッキングカラー（１１）の方向に前記ストッキング脚部（１２）の周囲を取り囲むように具現化され、かつ少なくとも一回交差し、また前記編みパターンまたは前記織り糸の前記らせん（２０、２１）が前記ベース生地（１０）にしっかり留められる点において前記ベース生地（１０）に接続される運動ソックス（１）または運動包帯であって、少なくとも１つの追加のクッション(Ｐ’”)が、すね領域に沿って前記運動ソックス（１）または前記運動包帯の前面で前記ベース生地（１０）に編み込まれ、このクッションが、前記ストッキングカラー（１１）からフットアーチ領域（１４）まで突き出し、前記円周方向の交差するらせん（２０、２１）に少なくとも部分的に重なる、または前記前面のその伸長部に沿ってそれらに置き換わることを特徴とする、運動ソックス（１）または運動包帯。
【請求項２】
複数の追加のクッション(Ｐ’) が、前記らせん（２０、２１）の交差点の間で、前記ベース生地（１０）上のふくらはぎ領域（１２０）に沿って前記らせん（２０、２１）の間の前記運動ソックス（１）または前記運動包帯の裏面に配置される、請求項１に記載の運動ソックス（１）または運動包帯。
【請求項３】
両らせん（２０、２１）は、前記ストッキング脚部（１２）の周りをその進路にわたって１．５回一周する、とりわけ３回以上一周する、前記請求項のいずれか一項に記載の運動ソックス（１）または運動包帯。
【請求項４】
両らせん（２０、２１）は、その進路に沿って、各らせん（２０、２１）の一周の間の高さとして異なるピッチ高さを有する、前記請求項のいずれか一項に記載の運動ソックス（１）または運動包帯。
【請求項５】
両らせん（２０、２１）は、その進路に沿って３つ以上の交差点（Ｓ１〜Ｓ３）を有する、前記請求項のいずれか一項に記載の運動ソックス（１）または運動包帯。
【請求項６】
各らせん（２０、２１）のフル回転中の高さとしてのピッチ高さは、前記ストッキングカラー（１１）の縁部と、前記ストッキングカラー（１１）の反対側の前記ストッキング脚部（１２）または前記ストッキングソール（１５）の一端の下方縁部との間の長さの少なくとも１／４に相当する、前記請求項のいずれか一項に記載の運動ソックス（１）または運動包帯。
【請求項７】
両らせん（２０、２１）は、共通の開始地点（Ｓ）から始まる、前記請求項のいずれか一項に記載の運動ソックス（１）または運動包帯。
【請求項８】
両らせん（２０、２１）は、共通の終端地点（Ｅ）で終端する、前記請求項のいずれか一項に記載の運動ソックス（１）または運動包帯。
【請求項９】
縦編みまたは横編みベース生地（１０）で作成された運動ソックス（１）または運動包帯において、ストッキングカラー（１１）からフットアーチ領域（１４）まで延びる筒状のストッキング脚部（１２）を有し、その上に、圧縮手段（２）が前記ストッキング脚部（１２）の進路にわたって配置され、この圧縮手段は、前記ベース生地（１０）と異なる構造、織り糸の厚さ、または織り糸材料を有し、少なくとも２つの対向するらせん（２０、２１）が前記圧縮手段（２）として使用され、これらのらせんは、前記フットアーチ領域（１４）から前記ストッキングカラー（１１）の方向に前記ストッキング脚部（１２）の周囲を取り囲むように具現化され、かつ少なくとも一回交差し、また前記編みパターンまたは前記織り糸の前記らせん（２０、２１）が前記ベース生地（１０）にしっかり留められる点において前記ベース生地（１０）に接続される運動ソックス（１）または運動包帯であって、複数の追加のクッション (Ｐ’)が、前記らせん（２０、２１）の交差点の間で前記ベース生地（１０）上のふくらはぎ領域（１２０）に沿って前記らせん（２０、２１）の間のふくらはぎ領域（１２）に沿って前記運動ソックス（１）または前記運動包帯の裏面に分散されて配置されることを特徴とする、運動ソックス（１）または運動包帯。
【発明の詳細な説明】
【技術分野】
【０００１】
本発明は、運動ソックスを説明しており、これは、縦編みまたは横編みのベース生地から形成され、カラーを有する筒状の脚部を有し、この場合、圧縮手段が、脚部の進路にわたって配置されており、この圧縮手段は、ベース生地のものと異なる構造、織り糸の厚さまたは織り糸材料を有する。
【背景技術】
【０００２】
圧縮衣服は、従来技術から知られており、したがって、運動ソックスおよび圧縮ストッキングも同様に、皮膚および下にある組織、とりわけ包まれた脚に対して圧力を生成する。圧縮ストッキングは、医療、美容または予防の理由のために使用され、例えば静脈瘤症または深部静脈血栓症を治療する、または防ぐことができる。例えば長距離フライトでの血栓症のリスクは、予防のための利用によって大いに低下させることができる。さらに圧縮衣服、とりわけ圧縮ストッキングは、例えばノルディックウォーキングまたはマラソンランニングなどのスポーツで使用される。
【０００３】
既知の圧縮衣服は、身体に、とりわけ下肢の領域に対して平面圧力を及ぼす。圧縮動作によって均一な圧力の分布が達成され、これにより締め付けが生じることになるが、これによって血液の供給が妨げられる。これは、スポーツの分野においてなにより望ましくないことであり、そのため、スポーツで使用するには全面圧縮は適さないことは、ここしばらくの間、既に知られている。
【０００４】
複数のストッキング領域を配置することによって、ストッキングによる下肢の全面圧縮という考えから離れるような試みがなされてきた。
【０００５】
運動生地は、圧縮動作を有し、とりわけ運動ストッキングが米国特許第２０１２１０２６２５号より知られており、この場合、少なくとも１つの圧縮手段は、特定の高さで運動ストッキングの周囲を取り囲むバンドの形態であり、このバンドは、局所的な圧縮作用が生じるような方法で伸縮性のある材料から製造される。
【０００６】
国際特許第２０１８１３６８６７号は、所望される圧縮作用を達成するために、複数の圧縮手段を横編み運動ストッキングに沿って局所的に分散させて配置し、これにより運動ストッキングが容易に製造可能であるような試みをした。異なる編み方および様々な織り糸が使用され、この場合、構成要素も縫い合わせることができる。当業者に知られるように、リブまたは隆起部が、圧縮作用をもたらすことができる圧縮手段の領域内に配置される。
【０００７】
また国際特許第２０１００４６１３０号に記載されるように、圧縮手段の好適な配置によって最適化された運動生地において、皮膚表面の方向に突き出すように形成された圧縮手段のウェブ、隆起部またはリブによって毛細血管の一部が圧縮されないことを保証する必要がある。血液循環が可能な限り影響を受けない状態のままであると推定すると、とりわけ運動活動中の、生物の冷却作用も同様に可能な限り良好な状態のままである。したがって、圧縮手段および圧縮領域を圧縮せずに互いに隣接して配置することが達成されるようになり、このことは、十分な圧縮作用をもたらすことになる。しかしながら結果として生じる圧縮製品は、圧縮手段の設計における進歩を必要とするため、ときには満足できるものではない場合がある。しかしながら、煩わしい筋肉の震えを改善することで、圧縮ストッキングの着用者の下肢または肘関節または膝関節の領域における安定性を高めるならば、それもまた有利である。
【０００８】
これは、欧州特許第１３２３３９７号で試みられており、２つの対向するらせんの形態の渦巻き形状の円周方向の圧縮手段が使用され、この圧縮手段は、ストッキングカラーの方向にフットアーチ領域からストッキング脚部の上に円周方向に形成される。しかしながら、こうして達成することが可能な圧縮は、ふくらはぎ、およびすねの筋肉、ならびに足首の領域内での筋肉の震えを十分に低減させる、または改善することができない。結果として生じるサポート作用は、そのような解決策ではほとんど存在していない。
【発明の概要】
【発明が解決しようとする課題】
【０００９】
本発明は、圧縮作用が高められるような方法で、運動ソックス、または圧縮ストッキングとしての運動包帯を改良し、また追加として、安定させるサポート作用が、少なくとも脚および関節の領域内においてさらに達成されるという目的を有する。
【００１０】
例えば、脚の筋肉は、固定されるべきであり、筋肉の震えは実質的に防止されるべきであり、これにより運動能力が永続的に改善される。
【００１１】
この目的は、筒状の脚部を有する運動ソックスまたは運動包帯によって達成され、この場合、複数の専用に設計された圧縮手段が局所的に使用され、主軸に沿って分散される。
【００１２】
運動ソックスの別の有利な実施形態が、とりわけ圧縮手段を有する圧縮ストッキングの例を基にして説明されており、従属クレームにおいて請求されている。
【００１３】
運動ソックスまたは圧縮ストッキングまたは運動包帯は、おおよそユーザの膝まで組み込まれたストッキングまたはソックスとしてここでは理解され、これは典型的には、縦編みまたは横編みベース布地を有し、好ましくは運動活動で使用され、医療用途では使用されない。
【００１４】
圧縮手段に加えて、クッションの形態の追加のサポート手段が有利である。
【００１５】
本発明の主題の好ましい一例の実施形態を、添付の図面と併せて以下記載する。
【図面の簡単な説明】
【００１６】
【図１】前方からの圧縮手段を有する圧縮ストッキングの例を基にした、運動ソックスの概略斜視図である。
【図１ｂ】前面および裏面に圧縮手段の焦点がある、図１ａによる３Ｄの図である。
【図１ｃ】異なる数の圧縮手段または異なるように配置された圧縮手段を有する圧縮ストッキングの概略図である。
【図１ｄ】異なる数の圧縮手段または異なるように配置された圧縮手段を有する圧縮ストッキングの概略図である。
【図１ｅ】異なる数の圧縮手段または異なるように配置された圧縮手段を有する圧縮ストッキングの概略図である。
【図１ｆ】異なる数の圧縮手段または異なるように配置された圧縮手段を有する圧縮ストッキングの概略図である。
【図１ｇ】異なる数の圧縮手段または異なるように配置された圧縮手段を有する圧縮ストッキングの概略図である。
【図２ａ】着用した状態の、下肢を覆うように引き上げられた圧縮手段および追加のクッションを有する圧縮ストッキングの図である。
【図２ｂ】縦編み機または横編み機から取り外した後の、平らに設計された非着用状態の図２ａによる圧縮ストッキングを示す図である。
【発明を実施するための形態】
【００１７】
以下において、運動ソックス１は、ベース生地で作成され、好ましくはより長いストッキングまたは膝ストッキングが着用される運動活動中にユーザが使用するための運動ソックス１または圧縮ストッキング１の例を基にした一例として記載されている。
【００１８】
圧縮ストッキング１またはベース生地は、縦編み生地または横編み生地から製造され、ここでは縦編みベース生地１０で作成されたサポート用の包装物を備える。ストッキングカラー１１から、圧縮ストッキング１は、ストッキング脚部１２内に延び、ストッキング脚部１２は、ふくらはぎ領域１２０と、足首領域１２１とを形成する。ふくらはぎ領域１２０および足首領域１２１は各々、ユーザの圧縮ストッキング１が着用されるときに対応するフット領域の高さのところにある。ストッキングカラー１１から離れる方を向くストッキング脚部１２の側では、フットアーチ領域１４、つま先領域１６、ストッキングソール１５、およびかかと領域１３が隣り合っており、この場合、全ての圧縮ストッキング部分が圧縮ストッキング１を形成し、圧縮ストッキングは、下肢を包み、ストッキングソール１５に向かって閉じられている。しかしながら、ストッキングカラー１１の反対の側で開放する圧縮ストッキング１も考えられる。
【００１９】
圧縮ストッキング１は好ましくは、編み機上の縦編みベース生地から可能な限り一体に製造される。しかしながら複数の編まれた部分が製造され、その後つなぎ合わされることで圧縮ストッキング１を形成する場合もある。図１ａによる概略図は、生地の前面Ｓの方向から示されており、生地の裏面Ｒは、部分的に見えなくなっている。圧縮ストッキング１の中心の伸長ラインは、ここでは点線で示されており、このラインは、布地の前面Ｓの中央を通って、フットアーチ領域１４からストッキングカラー１１まで延びている。ストッキングカラー１１は典型的には、縦編みベース生地１０と異なる編みパターンおよび／または織り糸で形成される。
【００２０】
本明細書に記載される圧縮ストッキングは有利には、ウィンタースポーツ、競技狩猟、あるいはより長い、または膝ストッキングが有利である他の活動の分野で利用可能である。圧縮作用および筋肉サポート作用は、継続的に達成される。圧縮ストッキング１内の下肢の安定、およびこれによる足の能力は、筋肉サポート作用によって改善される。そのような圧縮手段２の使用にもかかわらず、下肢の十分に多くの領域がなおも、ほとんど圧縮されない、または全く圧縮されないため、血液循環が不利になるように変えられることはない。
【００２１】
圧縮手段２は、圧縮ストッキング１に沿って配置される。このような圧縮手段２は、複数の対向するらせん２０、２１または渦巻きの形態でここでは設計されており、これらは、左側方向または右側方向の様式でストッキング脚部１２を取り巻く。らせん２０、２１は、少なくとも足首領域１２０からストッキングカラー１１の方向にストッキング脚部１２の周囲を取り囲むように巻き付けられ、少なくとも一回交差する。
【００２２】
圧縮手段２は好ましくは、本明細書に示されるように、異なる曲がり方向を有して複数回交差する少なくとも２つのらせん２０、２１によって形成される。
【００２３】
増大した圧縮作用に加えて、筋肉をサポートする、または保持する作用もまた、ここでは達成することができる。らせん２０、２１は好ましくは、縦編みベース生地１０と異なる縦編みまたは横編み生地で具現化される、あるいは縦編みベース生地１０の織り糸と異なる材料を有する。
【００２４】
図１ｂは、圧縮ストッキング１を示しており、これは、その外側円周に沿ってストッキング脚部１２に沿った、ここでは左側方向の第１のらせん２０と、ここでは右側方向で具現化される第２のらせん２１とを備える。曲がり目の異なる円周方向は、矢印によって印がつけられている。
【００２５】
ストッキング脚部１２は円筒形ではなく、むしろ円錐形であるが、圧縮手段２が、渦巻きのように向きを変え、おおよそ円筒形のストッキング脚部１２の周りで曲線状になるため、用語らせんがここでは使用されている。各らせん２０、２１は、開始時点Ａからそれぞれ始まり、ここでは終端地点Ｅまでおおよそ２回ストッキング脚部１２を取り巻く。らせん２０、２１に沿って、曲がり目はしたがって、第１の交差点Ｓ１および第２の交差点Ｓ２で２回交差する。交差点Ｓ１、Ｓ２は、ここでは生地の前面Ｓに配置され、圧縮ストッキング１の中心の伸長ラインに沿って位置が決められる。らせん２０、２１が異なる方向に曲がることにより、２つのらせんは、これに従って布地の裏面Ｒでも２つの交差点で交差する。
【００２６】
圧縮を達成するために、縦編み生地を基にした圧縮手段の分野において当業者に知られるように、らせん２０、２１は、異なる織り糸、織り糸の厚さ、形成された、またはしっかり留められた突出部、および／または好適な編みパターンによって規定され、バンドに似た特徴を有する。らせん２０、２１は、圧縮ストッキング１の製造中に直接、例えば編み機によって縦編みベース生地１０に組み込まれる。
【００２７】
修正形態では、３つ以上のらせん２０、２１が使用される場合があり、その一部のみが対向しており、ストッキング脚部１２の長手方向にずらし配置することができる。したがって、１つの左側方向と、ｎ（ｎ >１)個の右側方向のらせんが、またはその逆も同様に、長手方向にずらして配置される場合がある。一般に、様々ならせん２０、２１が各々、同じ開始地点Ａおよび／または終端地点Ｅから始まることができる。
【００２８】
両方のらせん２０、２１または全てのらせんが、ストッキング脚部１２の周りを１．５回一周する、とりわけ３回以上一周することが有利である。筋肉を固定する作用がこれにより高められる。
【００２９】
静脈を通って心臓に戻る血流を加勢し、下肢の筋肉がらせん２０、２１によって固定され、これにより下肢の安定性が高められる。
【００３０】
らせん２０、２１の傾斜は、全く同じに、またはわずかに異なるように作成することができる。ストッキング脚部１２の周りのらせんの一周の高さとしてのピッチ高さは、これに従って全く同じに、またはわずかに異なるように設計することができ、この場合、らせん２０、２１の複数の交差点が生じることが想定される。ピッチ高さが、ストッキングカラー１１の縁部と、ストッキングソール１５の下方縁部との間の長さの少なくとも１／４に相当する場合、最適な圧縮作用と共に最適なサポート作用を同時に見せることができる。
【００３１】
少なくとも２つのらせん２０、２１が３つ以上の交差点Ｓ１をその進路に沿って有する場合、極めて優れたサポート作用が達成され、この場合、交差点Ｓ１は、布地の前面Ｓおよび／または布地の裏面Ｒに配置することができる。
【００３２】
ストッキング脚部１２の曲率半径は、ストッキング脚部１２がわずかに円錐形であることにより一定ではないため、らせん２０、２１の曲率もまた一定ではない。しかしながら圧縮ストッキングを編み機で製造する間、縦編みベース生地１０の選択された編みパターンおよび縦編み生地をらせん２０、２１の領域内でこれに従って適合させることができる。
【００３３】
図１ｃから図１ｇによる圧縮ストッキング１に示されるように、２つのらせん２０、２１は、布地の前面Ｓおよび布地の裏面Ｒで交差するように配置することができる、または図１ｄおよび図１ｅに示されるように、３つのらせん２０、２０’、２１、２１’が、主軸１２の周囲を取り囲むように選択され、この場合、らせんは、脚部１２の内側面または外側面で交わる。任意選択で、図１ｆおよび図１ｇに示されるように、４つのらせんが選択される場合もあり、そのうちの２つの対の各々が交差しており、この場合、交差点は同様に、布地の前面Ｓおよび／または布地の裏面Ｒに、および／または脚部の内側面および／または脚部の外側面に配置することができる。
【００３４】
圧縮ストッキング１が図２ａに示されており、これは、円周方向圧縮手段２の上記に記載した実施形態に加えて、追加のクッションＰ、Ｐ’、Ｐ”、Ｐ’”を備え、この場合、任意選択で、少なくとも１つの追加のクッションが、縦編みベース生地１０にしっかり留められる、またはその上に形成される、あるいは縦編みベース生地１０に組み込まれる。２つのクッションＰが、本明細書の圧縮ストッキング１のフットアーチ領域１４の領域内に取り付けられる。しかしながらふくらはぎ領域１２０に沿ったクッションＰ’、足首領域１２１内にある、クッションＰ”、および／またはすねの領域内にあるクッションＰ’”もまた、運動分野での使用に適切である。部分的な平面圧力が、クッションＰ、Ｐ’、Ｐ”、Ｐ’”によって追加で生成される。
【００３５】
クッションＰ’”は好ましくは、圧縮ストッキング１の前面に沿って、ここではすね領域に沿ってストッキングカラー１１からフットアーチ領域１４まで配置され、縦編みベース生地１０の上に突き出している。クッションＰ’”は、円周方向圧縮手段２に重なることができ、その結果、交差するらせん２０、２１は、それらがクッションＰ’”によって覆われるため、すね領域において認識することはできない。らせん２０、２１の圧縮作用はまた、このクッションＰ’”によって追加で強化される。
【００３６】
折りたたまれた状態の圧縮ストッキング１の図２ｂによる図では、３つの交差点Ｓ１、Ｓ２、Ｓ３を、交わっているらせん２０、２１に沿ってここでは布地の前面Ｓで見ることができる。らせん２０、２１は、クッションＰおよびフットアーチ領域１４より上に配置され、ストッキングカラー１１の方向に延びており、この場合らせん２０、２１は、ストッキングカラー１１の中は通り抜けない。ストッキングカラー１１は、縦編みベース生地１０とは、異なる編みパターンおよび／または異なる色がついた織り糸を有するように具現化される。
【００３７】
複数のクッションＰ’が好ましくは、ふくらはぎ領域１２０内の交わっているらせん２０、２１の間に分散される、すなわち、らせん２０、２１の交差点の間に配置される。
【００３８】
らせん２０、２１の設計は、ここではバンド形状で具現化され、この場合、その厚さは、曲がり目に沿って変化する。しかしながら、曲がり行程全体において一定の厚さに具現化することも可能である。らせん２０、２１は、異なる構造を有するように、すなわち好ましくは縦編みベース生地１０と異なる編みパターンを有するように具現化される。異なる織り糸、とりわけ縦編みベース生地１０に関するものより厚みのある、および／またはより可撓性の織り糸をらせん２０、２１のために任意選択で選択することができる。らせん２０、２１の長手方向に、またはそこに直立するリブ付き構造を、らせん２０、２１に沿って選択することができ、これにより圧縮手段２は、一番上の皮膚の層で局所的に圧力を強調して増大させることができる。一般に高度の伸縮性を有する縦編みベース生地の使用により、伸縮性の縦編みベース生地および伸縮性らせん２０、２１を製造することが可能であるため、可撓性の織り糸の使用は、絶対的に必要ではないが、使用することも可能でもある。らせん２０、２１の円周は好ましくは、着用者の下肢の足首の高さで、すなわち関節領域１２１を取り巻くように具現化することができる。このとき、増大したサポートが、足首の領域内で起きる。
【００３９】
圧縮ストッキング１の代わりに、筒状の脚部１２を有する本発明による運動ソックス１もまた、肘関節または膝関節の領域に対する包帯として使用される。脚部１２は、ストッキングソール１５の代わりの少なくとも１つの第１の面と、反対側のカラー１１とを備える。筒状の脚部１２はそれ故、第１の面とストッキングソール１５との間に延びている。少なくとも２つのらせん２０、２１が、脚部１２の周囲を取り囲むように配置され、少なくとも１回交差しており、この場合、らせん２０、２１は、ベース生地１０に接続され、ベース生地１０と異なる編みパターンまたは異なる織り糸を有する。らせん２０、２１は好ましくは排他的に、フットアーチ領域１４と膝領域との間の運動ソックス１または運動包帯の長さに沿って延びるように配置される。
【００４０】
らせん２０、２１は、異なる編みパターンおよび／または異なる織り糸を有し、これらのらせんは、ベース生地１０上にしっかり留められ、とりわけ編むことによってしっかり留められる。圧縮手段２０、２１はまた好ましくは、ベース生地１０の縦編みまたは横編み工程の間に、縦に編み込まれる、または横に編み込まれることで、脚部１２が閉じた筒状の包装物を形成する。運動生地１が包帯として具現化される場合、第１の面がこの場合、ストッキングソール１５の代わりに、カラー１１の反対側に設けられる。脚部１２はこのとき、第１の面とカラー１１との間に延び、圧縮手段２は、脚部１２に沿って延びる。クッションＰ、Ｐ’、Ｐ”、Ｐ’”もまた、ベース生地１０に編み込まれ、らせん２０、２１から離して、またはこれらに一致するように隣接して位置が決められる、あるいはらせんに重なる。クッションＰ、Ｐ’、Ｐ”、Ｐ’”は、より厚みのある織り糸、専用の編みパターン、および／またはそれらの組み合わせから製造することができる。らせん２０、２１のサポート作用はそれ故、クッションによって最適化される。
【符号の説明】
【００４１】
１  ベース生地で作成された運動ソックスまたは運動包帯／圧縮ストッキング
１０  ベース生地／縦編みベース生地／横編みベース生地（第１の編みパターン）
１１  伸縮するように編まれたカラー／ストッキングカラー
１２  脚部／ストッキング脚部
１２０  ふくらはぎ領域
１２１  関節領域／足首領域
１３  かかと領域
１４  フットアーチ領域
１５  ストッキングソール
１６  全部の領域
Ｓ  生地の前面
Ｒ  生地の裏面
２  圧縮手段（本明細書でのらせん、少なくとも２つのらせん）
２０  第１のらせん
２１  第２のらせん
Ａ  開始地点
Ｓ１、Ｓ２、Ｓ３  交差点
Ｅ  終端地点
Ｐ  クッション
【図１ａ】
2021534336.tif 000003
【図１ｂ】
2021534336.tif 000004
【図１ｃ】
2021534336.tif 000005
【図１ｄ】
2021534336.tif 000006
【図１ｅ】
2021534336.tif 000007
【図１ｆ】
2021534336.tif 000008
【図１ｇ】
2021534336.tif 000009
【図２ａ】
2021534336.tif 000010
【図２ｂ】
2021534336.tif 000011
【国際調査報告】
2021534336.tif 000012
2021534336.tif 000013
2021534336.tif 000014
2021534336.tif 000015